(57)【特許請求の範囲】
【請求項１】
左右一対の第１及び第２ファスナーストリンガー(16,17)と、前記第１及び第２ファスナーストリンガー(16,17)の対向側縁部下端に配された蝶棒(30)及び箱棒(40)と、前記第１及び第２ファスナーストリンガー(16,17)を開閉する上スライダー(50)及び下スライダー(60)とを備え、前記上下スライダー(50,60)は後口同士が相対する向きで配され、前記蝶棒(30)を前記上スライダー(50)の肩口から、前記上下スライダー(50,60)の表裏翼片(53,62,63)間に配された務歯案内通路内に挿入したときに、前記蝶棒(30)の先端を前記下スライダー(60)における案内柱(60D)の後口側頂部を越えて挿し込み可能な逆開きスライドファスナーにおいて、
前記蝶棒(30)は、前記第１ファスナーストリンガー(16)の第１務歯列の端部に隣接し、前記第１ファスナーストリンガー(16)のファスナーテープ(11)のテープ対向側縁に沿ってテープ表裏面に固着された細長い棒状部分と、蝶棒先端にかけて前記箱棒(40)から離間する方向に湾曲する先端部分とを備え、
前記蝶棒(30)は、前記箱棒(40)側の箱棒摺接側縁(30C)と、前記箱棒摺接側縁(30C)の反対側に配されたテープ内方側のフランジ摺接側縁(30F)とを備え、
前記蝶棒(30)の前記先端部分における前記箱棒摺接側縁(30C)に、前記蝶棒(30)の前記箱棒摺接側縁(30C)側の側面がテープ長さ方向に対して屈曲するように、前記蝶棒(30)の先端にかけて前記箱棒(40)から離間する方向に傾斜した第１傾斜部(30E)が形成され、前記先端部分における前記フランジ摺接側縁(30F)に、前記蝶棒(30)の前記フランジ摺接側縁(30F)側の側面がテープ長さ方向に対して屈曲するように、前記蝶棒(30)の先端にかけて前記箱棒(40)から離間する方向に傾斜した第２傾斜部(30G)が形成され、
前記蝶棒(30)の前記細長い棒状部分における前記フランジ摺接側縁(30F)に、テープ長さ方向に平行な平面部が形成され、
前記第１傾斜部(30E)の前記箱棒(40)側の側面は、前記上下スライダー(50,60)への前記蝶棒(30)の挿入時に、前記下スライダー(60)の前記案内柱(60D)から回避する方向に連続して湾曲する湾曲面に形成され、
前記湾曲面は、前記ファスナーテープの表裏方向から見たとき、前記フランジ摺接側縁(30F)の前記平面部を前記蝶棒(30)の先端側に延長した延長線(EL)を含むテープ表裏方向に沿った平面に対し、交差してなり、
前記下スライダー(60)は、前記表翼片(62)に配され、前記務歯案内通路内に突出する停止爪(64)を有し、
前記先端部分の前記停止爪(64)側の表面における前記第１傾斜部(30E)側に、前記箱棒摺接側縁(30C)から蝶棒先端にかけて、前記蝶棒先端に向けて同蝶棒(30)の肉厚を漸減させるように傾斜するとともに、前記箱棒摺接側縁(30C)に向けて同蝶棒(30)の肉厚を漸減させるように傾斜した爪案内斜面(39)が形成され、
前記蝶棒(30)は、前記ファスナーテープ(11)の下端縁より延出した延出部分を備え、前記蝶棒(30)の先端は、前記ファスナーテープのテープ表裏方向における厚さ中心位置よりテープ裏面側に偏って配され、
前記爪案内斜面(39)は、前記蝶棒(30)が前記下スライダー(60)の務歯案内通路(60T)内に挿入されると前記停止爪(64)が当接し、また、前記停止爪(64)が当接した状態で前記蝶棒(30)が更に挿し込まれると、前記停止爪(64)が摺接しながら前記蝶棒(30)の表面側に退避するように構成されてなる、
ことを特徴とする逆開きスライドファスナー。
【請求項２】
請求項１に記載の逆開きスライドファスナーにおいて、
前記箱棒摺接側縁(30C)における前記第１傾斜部(30E)と前記フランジ摺接側縁(30F)における前記第２傾斜部(30G)との間の幅寸法が、前記蝶棒(30)の先端に向かうに従って減少してなる、
ことを特徴とする逆開きスライドファスナー。
【請求項３】
請求項１に記載の逆開きスライドファスナーにおいて、
前記爪案内斜面(39)は、前記延長線(EL)を横切って形成されてなる、
ことを特徴とする逆開きスライドファスナー。
【発明の詳細な説明】
【技術分野】
【０００１】
本発明は、上開き及び逆開きが可能で、かつ開離嵌挿が可能な逆開きスライドファスナーに関する。
【背景技術】
【０００２】
衣類における左右前身頃の開閉を行うためのスライドファスナーとして、務歯列の下端に箱棒及び蝶棒を備えた開離嵌挿式のスライドファスナーが用いられている。【０００３】
一般の開離嵌挿具付きのスライドファスナーでは、一方の務歯列の下端に蝶棒が連設され、他方の務歯列の下端には前記蝶棒を嵌挿するための箱体が連設されている。この開離嵌挿具付きのスライドファスナーでは、スライダーを箱体と当接する最下端まで下げた状態において、蝶棒が箱体及びスライダーに対して挿抜自在となるように構成されており、左右のファスナーストリンガーを分離することが可能となっている。【０００４】
特開２００５−２４５８５９号公報（特許文献１）には、２つのスライダーの後口同士を互いに対向させて配置することにより、上方及び下方の両方からの両開きを可能とした逆開きスライドファスナー用の開離嵌挿具が提案されている。【０００５】
特許文献１に記載されている逆開きスライドファスナーは、上方及び下方の両方からの開閉を可能にするための上スライダーと下スライダーとを備え、一方のファスナーストリンガーの務歯列の下端には、逆開きスライドファスナーの最下端まで上スライダーと下スライダーとを下げて後口同士を互いに当接させた状態において、上スライダー及び下スライダーに対して挿抜可能な蝶棒を備えている。また、対向するファスナーストリンガーの務歯列の下端には、下スライダーを最下端にて係止させるための抜け止めストッパーが形成された、箱棒が取り付けられている。
【先行技術文献】
【特許文献】
【０００６】
【特許文献１】特開２００５−２４５８５９号公報
【発明の概要】
【発明が解決しようとする課題】
【０００７】
上述の特許文献１に記載されている開離嵌挿具を備えた逆開きスライドファスナーを、衣服の左右前身頃の開閉用に用いると、上スライダーを最下端まで摺動させた後に、務歯列の下端に取り付けられている蝶棒を上スライダー及び下スライダーから抜き取って、左右のファスナーストリンガーを開離させることができる。その後、蝶棒を上スライダー及び下スライダーに挿入することによって、再び左右のファスナーストリンガー同士を結合させることができる。この、左右のファスナーストリンガー同士を結合する際に生じ得る不具合について、図１１及び図１２を用いて説明する。【０００８】
図１１は、特許文献１の図６に記載されている開離嵌挿具の蝶棒と、その蝶棒が取着されている付近のファスナーストリンガーの部分拡大図である。図１２は、特許文献１に記載されている逆開きスライドファスナーにおいて、一旦上スライダー５０及び下スライダー６０から抜き取った蝶棒９３０を、再び上スライダー５０及び下スライダー６０に嵌挿してゆく途中の状態を示す平面断面図である。【０００９】
なお、図１１及び図１２に示すファスナーストリンガー９１６、１７の座標系に関し、ファスナーストリンガー９１６、１７の長手方向のうち、蝶棒９３０及び箱棒４０が取着されている方向を下方（Ｄ方向）と定義し、下方（Ｄ方向）とは反対の方向を上方（Ｕ方向）と定義する。また、図１１及び図１２に示すように、ファスナーストリンガー９１６、１７の面と平行であって、上方（Ｕ方向）に向かって右側をＲ方向、左側をＬ方向と定義する。【００１０】
先ず、図１１を用いて、蝶棒９３０が取着されている従来の第１ファスナーストリンガー９１６の構成について説明する。図１１に示すように、第１ファスナーストリンガー９１６には、対向端縁に芯部１４を形成したファスナーテープ１１と、前記芯部１４に所定のピッチで取着した第１務歯１２列と、第１務歯１２列の下方（Ｄ方向）に連設した蝶棒９３０と、蝶棒９３０付近の剛性と強度を向上させる補強フィルム２４とが配されている。【００１１】
図１１に示す蝶棒９３０の右側縁（Ｒ方向の側縁）にはフランジ摺接側縁９３０Ｆが形成されており、蝶棒９３０の左側縁（Ｌ方向の側縁）には対向側縁９３０Ｃが形成されている。対向側縁９３０Ｃの先端部には、第１ファスナーストリンガー９１６の長手方向に対して直角な平坦部を有する頂端壁９３０Ｄが形成されている。特許文献１に記載されている蝶棒９３０では、フランジ摺接側縁９３０Ｆを下方（Ｄ方向）に延長した延長線ＥＬは、頂端壁９３０Ｄと略直交する方向で交わっていた。この、延長線ＥＬと頂端壁９３０Ｄとの交点を、交差部ＮＤと定義する。【００１２】
次に図１２を用いて、従来の逆開きスライドファスナー９１０の構成について説明する。図１２は、上スライダー５０の後口が下スライダー６０の後口と接触する最下端まで上スライダー５０を下げて、逆開きスライドファスナー９１０を開かせるために抜脱していた蝶棒９３０を、再び上スライダー５０の右側（Ｒ方向）の肩口から挿入してゆく途中の状態を示す図である。また図１２は、ファスナーテープ１１と略平行な切断面であって、上スライダー５０及び下スライダー６０の上翼片と、第１及び第２ファスナーストリンガー９１６、１７との間における切断面で上スライダー５０及び下スライダー６０を切断して、務歯案内通路５０Ｔ、６０Ｔの内部を表した平面断面図である。【００１３】
図１２に示す逆開きスライドファスナー９１０は、例えばロングコートなどの左前身頃と右前身頃との開閉を可能にする開閉具である。逆開きスライドファスナー９１０は、左右一対のファスナーテープ１１と、当該ファスナーテープ１１同士の対向端縁に沿ってそれぞれ形成した芯部１４と、それぞれの芯部１４を挟持するように所定の間隔をおいて列設した多数の第１及び第２務歯１２、１３とを備えている。【００１４】
また、逆開きスライドファスナー９１０は、第１及び第２務歯１２、１３列を挿通して上開きを可能にする上スライダー５０と、逆開きを可能にする下スライダー６０とを備えている。そして、上スライダー５０の後口と下スライダー６０の後口とが対向するように配置してある。図１２に示すように、第１及び第２ファスナーストリンガー９１６、１７の下端部（Ｄ方向の端部）の表裏には、樹脂製フィルムなどによる補強フィルム２４を貼着してある。この補強フィルム２４及び芯部１４を共に挟み込む形で、それぞれ蝶棒９３０及び箱棒４０が第１及び第２務歯１２、１３列に連設されている。【００１５】
箱棒４０の下端（Ｄ方向の端部）には、フック状のストッパー４６を形成してある。このストッパー４６は、下スライダー６０を最下端まで下げた際において、下スライダー６０の肩口部分又はフランジ６０Ｆの端部と当接することにより、下スライダー６０が下方から脱落することを防止するものである。図１２に示す実施例では、ストッパー４６を、箱棒４０の下端から左方向（Ｌ方向）に向けてストッパー４６を突出させることによって、下スライダー６０におけるフランジ６０Ｆの下端に係合させる実施例を示してある。【００１６】
図１２に示す上スライダー５０の表翼片（図示せず）及び裏翼片５３は、上スライダー５０における左右中央（Ｌ−Ｒ方向における中央部）の上部（Ｕ方向の部分）において、案内柱５０Ｄにより互いに固定してある。上スライダー５０の表翼片及び裏翼片５３の左右両側縁からは、対向状にフランジ５０Ｆを延出させてある。【００１７】
表翼片、裏翼片５３、及びフランジ５０Ｆにより囲まれる上スライダー５０の内部には、平面視Ｙ字型の空間であって左右一対の第１務歯１２列及び第２務歯１３列を挿通する務歯案内通路５０Ｔを形成してある。なお、上スライダー５０の表翼片の表面側（図１２に示す紙面の手前側）には、上スライダー５０の引手を傾倒自在に支持する引手支持体（図示せず）が形成されている。【００１８】
上スライダー５０における案内柱５０Ｄの左右両側（Ｌ−Ｒ方向）には、務歯案内通路５０Ｔの肩口がそれぞれ開口している。上スライダー５０の下端部（Ｄ方向の端部）には、務歯案内通路５０Ｔの後口が開口している。フランジ５０Ｆの端縁部分には、当該フランジ５０Ｆの端縁に沿ってテープ挿通路（図示せず）が形成されている。当該テープ挿通路は、務歯案内通路５０Ｔに挿通した第１及び第２務歯１２、１３列を取着しているファスナーテープ１１を通す隙間であり、上スライダー５０の摺動時において、ファスナーテープ１１が摺接する部分である。【００１９】
図１２に示す下スライダー６０も、上述の上スライダー５０と同様に、表翼片（図示せず）、裏翼片６３、案内柱６０Ｄ、及びフランジ６０Ｆが形成され、務歯案内通路６０Ｔ、肩口、後口、及びテープ挿通路が形成されている。また、下スライダー６０の表翼片の表面には、下スライダー６０の引手を傾倒自在に支持する引手支持体（図示せず）が形成されている。【００２０】
図１２に示すように、一旦第１ファスナーストリンガー９１６と第２ファスナーストリンガー１７とを開離させた状態から、再び結合する場合には、抜脱した蝶棒９３０を上スライダー５０の肩口（図１２に示す例では右側（Ｒ方向）の肩口）から挿入する。このとき、蝶棒９３０を上スライダー５０の肩口から挿入した後、上スライダー５０及び下スライダー６０の務歯案内通路５０Ｔ，６０Ｔ内において、蝶棒９３０が箱棒４０と平行になるように、第１ファスナーストリンガー９１６下部の補強フィルム２４付近を使用者が把持して、図１２に示す反時計回り方向に回転させながら下方（Ｄ方向）に向けて挿入することが行われる。【００２１】
ところが、第１ファスナーストリンガー９１６下部の補強フィルム２４付近を反時計回り方向に回転させることなく、上スライダー５０の肩口から蝶棒９３０を無造作に直進させると、例えば図１２に示すように、蝶棒９３０の一側縁が上スライダー５０のフランジ５０Ｆに摺接するとともに他側縁が箱棒４０に摺接したときに、延長線ＥＬに対して略直交する形に形成されている頂端壁９３０Ｄが、下スライダー６０の案内柱６０Ｄに（特に案内柱６０Ｄの頂点近傍に）正面から衝突してしまう。【００２２】
一般的な逆開きスライドファスナー９１０においては、案内柱６０Ｄに衝突するのは、頂端壁９３０Ｄと延長線ＥＬとが交差する交差部ＮＤ付近となる。このとき蝶棒９３０の頂端壁９３０Ｄは、案内柱６０Ｄの表面に対して略法線方向から衝突しているために、それ以上蝶棒９３０を下方（Ｄ方向）に下げることができなくなる。そして蝶棒９３０は、案内柱６０Ｄに衝突した位置（すなわち、蝶棒９３０が最下端まで到達していない位置）で停止してしまうことになる。【００２３】
このとき使用者は、上スライダー５０の肩口から挿入した蝶棒９３０が停止したことを感触により感じ取って、蝶棒９３０が所定の位置まで挿入されたものと勘違いすることがある。使用者が、蝶棒９３０を所定の位置まで挿入したと判断してしまうと、次に使用者は、逆開きスライドファスナー９１０を閉じるために、上スライダー５０を上方（Ｕ方向）に向けて摺動させる操作を行うことになる。【００２４】
ところが、図１２に示すように、蝶棒９３０の頂端壁９３０Ｄが、案内柱６０Ｄの上部（Ｕ方向の頂部）に接触している状態では、箱棒４０の直上に取着してある第２務歯１３と噛合するはずの相手方の第１務歯１２が所定の位置まで下がっていない。したがって、図１２に示す状態から上スライダー５０を上方（Ｕ方向）に向けて摺動させようとしても、箱棒４０の直上に取着してある第２務歯１３が蝶棒９３０の上部に衝突してしまい、第２務歯１３と蝶棒９３０とが噛合できずに、上スライダー５０のフランジ５０Ｆ内面に蝶棒９３０が引っ掛かった状態となる。したがって、上スライダー５０を上方（Ｕ方向）に向けて摺動させることができない状態となる。【００２５】
ここで、使用者が無理に上スライダー５０を上方（Ｕ方向）に向けて摺動させようとすると、逆開きスライドファスナー９１０を破損させてしまう危険性がある。また使用者は、上スライダー５０を摺動させることができないことに対して、逆開きスライドファスナー９１０における操作感の悪さを感じることになる。【００２６】
本発明は上記の問題点に鑑みてなされたものであって、左右のファスナーストリンガー同士の開離と結合とを行う逆開きスライドファスナーにおいて、一旦開離状態にした左右のファスナーストリンガー同士を再び結合する際に、蝶棒を上スライダーの肩口から無造作に直進させながら挿入した場合であっても、所定位置まで円滑に蝶棒を挿入させることが可能な逆開きスライドファスナーを提供することを目的としている。
【課題を解決するための手段】
【００２７】
上記目的を達成するために、本発明に係る逆開きスライドファスナーは、左右一対の第１及び第２ファスナーストリンガーと、前記第１及び第２ファスナーストリンガーの対向側縁部下端に配された蝶棒及び箱棒と、前記第１及び第２ファスナーストリンガーを開閉する上スライダー及び下スライダーとを備え、前記上下スライダーは後口同士が相対する向きで配され、前記蝶棒を前記上スライダーの肩口から、前記上下スライダーの表裏翼片間に配された務歯案内通路内に挿入したときに、前記蝶棒の先端を前記下スライダーにおける案内柱の後口側頂部を越えて挿し込み可能な逆開きスライドファスナーにおいて、前記蝶棒は、前記第１ファスナーストリンガーの第１務歯列の端部に隣接し、前記第１ファスナーストリンガーのファスナーテープのテープ対向側縁に沿ってテープ表裏面に固着された細長い棒状部分と、蝶棒先端にかけて前記箱棒から離間する方向に湾曲する先端部分とを備え、前記蝶棒は、前記箱棒側の箱棒摺接側縁と、前記箱棒摺接側縁の反対側に配されたテープ内方側のフランジ摺接側縁とを備え、前記蝶棒の前記先端部分における前記箱棒摺接側縁に、前記蝶棒の前記箱棒摺接側縁側の側面がテープ長さ方向に対して屈曲するように、前記蝶棒の先端にかけて前記箱棒から離間する方向に傾斜した第１傾斜部が形成され、前記先端部分における前記フランジ摺接側縁に、前記蝶棒の前記フランジ摺接側縁側の側面がテープ長さ方向に対して屈曲するように、前記蝶棒の先端にかけて前記箱棒から離間する方向に傾斜した第２傾斜部が形成され、前記蝶棒の前記細長い棒状部分における前記フランジ摺接側縁に、テープ長さ方向に平行な平面部が形成され、前記第１傾斜部の前記箱棒側の側面は、前記上下スライダーへの前記蝶棒の挿入時に、前記下スライダーの前記案内柱から回避する方向に連続して湾曲する湾曲面に形成され、前記湾曲面は、前記ファスナーテープの表裏方向から見たとき、前記フランジ摺接側縁の前記平面部を前記蝶棒の先端側に延長した延長線を含むテープ表裏方向に沿った平面に対し、交差してなり
、前記下スライダーは、前記表翼片に配され、前記務歯案内通路内に突出する停止爪を有し、前記先端部分の前記停止爪側の表面における前記第１傾斜部側に、前記箱棒摺接側縁から蝶棒先端にかけて、前記蝶棒先端に向けて同蝶棒の肉厚を漸減させるように傾斜するとともに、前記箱棒摺接側縁に向けて同蝶棒の肉厚を漸減させるように傾斜した爪案内斜面が形成され、前記蝶棒は、前記ファスナーテープの下端縁より延出した延出部分を備え、前記蝶棒の先端は、前記ファスナーテープのテープ表裏方向における厚さ中心位置よりテープ裏面側に偏って配され、前記爪案内斜面は、前記蝶棒が前記下スライダーの務歯案内通路内に挿入されると前記停止爪が当接し、また、前記停止爪が当接した状態で前記蝶棒が更に挿し込まれると、前記停止爪が摺接しながら前記蝶棒の表面側に退避するように構成されてなることを特徴とする。
【００２９】
前記箱棒摺接側縁における前記第１傾斜部と前記フランジ摺接側縁における前記第２傾斜部との間の幅寸法が、前記蝶棒の先端に向かうに従って減少していることが好ましい。
【００３０】
更にまた、前記爪案内斜面は、前記延長線を横切って形成されていることが好ましい。
【発明の効果】
【００３１】
本発明に係る逆開きスライドファスナーでは、蝶棒が、箱棒側に配された箱棒摺接側縁と、テープ内方側に配されたフランジ摺接側縁とを備えており、箱棒摺接側縁に、蝶棒先端に向けて箱棒側から離間する方向に傾斜した第１傾斜部が形成されている。また、箱棒摺接側縁に形成した第１傾斜部は、フランジ摺接側縁の平面部を蝶棒先端側に延長した延長線と交差して形成されており、更に、同第１傾斜部は、上下スライダーに蝶棒を挿入したときに、下スライダーの案内柱に接する又は同案内柱から離間する角度で傾斜した形状を有している。特に、箱棒摺接側縁の第１傾斜部は、下スライダーにおける案内柱の蝶棒側側面に接する又は同蝶棒側側面から離間する角度で傾斜した形状を有していることが好ましい。【００３２】
このような構成を有する本発明の逆開きスライドファスナーによれば、一旦開離した左右のファスナーストリンガー同士を再び結合する際に、蝶棒を上スライダーの肩口から無造作に直進させながら挿入した場合であっても、蝶棒をその最下端の位置まで円滑に挿入することができる。【００３３】
より詳しく説明すると、蝶棒を上スライダーの肩口から上下スライダー内に挿入したときに、例えば蝶棒におけるフランジ摺接側縁の基端部側が上スライダーのフランジに摺接するともに箱棒摺接側縁の先端部側が箱棒に摺接した場合、従来では前述のように蝶棒の頂端壁（先端面）が下スライダーの案内柱に衝突するため、蝶棒の挿入操作が妨げられるという問題があった。【００３４】
これに対して、本発明では、蝶棒におけるフランジ摺接側縁の基端部側が上スライダーのフランジに摺接するともに箱棒摺接側縁の先端部側が箱棒に摺接した場合でも、蝶棒の第１傾斜部が下スライダーの案内柱（特に案内柱の側面）に接し、蝶棒先端が第１傾斜部の傾斜によって箱棒から離間する方向に案内されながら、案内柱の後口側頂部を超えて挿入される。或いは、蝶棒の第１傾斜部が下スライダーの案内柱と衝突することなく、蝶棒先端が案内柱の後口側頂部を超えて挿入される。これによって、蝶棒を、下スライダーの案内柱との衝突により停止させることなく、その最下端の位置まで円滑に挿入することができる。なおここで、蝶棒の最下端位置とは、蝶棒の先端が下スライダーにおける案内柱の後口側頂部よりも肩口側に達し、且つ、蝶棒が箱棒と略平行な状態となる位置を言う。また、案内柱の側面とは、スライダーの長さ方向に対して、その面の傾き（その面が湾曲面のときは接線の傾き）が４５°以下となる案内柱の壁面を言う。【００３５】
更に本発明では、前記箱棒摺接側縁の第１傾斜部における側面（特に、第１傾斜部における下スライダーの案内柱に対向する対向側面）を、連続した湾曲面に形成することができる。これにより、蝶棒を上スライダーの肩口から挿入したときに、蝶棒の先端部が下スライダーの案内柱に衝突することをより確実に防止でき、蝶棒を最下端位置までより円滑に挿入することができる。また、第１傾斜部における側面が湾曲面であることによって、蝶棒の長さを短くすることができる。したがって、下スライダーを最下端位置まで下げた状態で蝶棒を上下スライダーの務歯案内通路内に収納でき、蝶棒を外部から見えないようにすることができる。【００３６】
また、本発明の逆開きスライドファスナーは、蝶棒のフランジ摺接側縁に、蝶棒の先端部に向けて箱棒側から離間する方向に傾斜した第２傾斜部が形成され、箱棒摺接側縁における第１傾斜部とフランジ摺接側縁における第２傾斜部との間の幅寸法を、蝶棒先端に向かうに従って減少させて構成することができる。これにより、蝶棒先端部の強度を保持しつつ第１傾斜部を確実に形成できるとともに、蝶棒の挿入時にフランジ摺接側縁が下スライダーのフランジ等と干渉することも防止できるため、蝶棒の挿入操作をより円滑に安定して行うことができる。【００３７】
更に本発明では、蝶棒の先端部における表面に、蝶棒先端に向けて同蝶棒の肉厚を漸減させるように傾斜した爪案内斜面が、前記延長線を横切って形成されている。このように爪案内斜面が延長線と交差し、同延長線を渡るように横切って形成されていることにより、爪案内斜面は第１傾斜部の傾斜面（湾曲面）と相俟って、蝶棒の先端部における表面が球面状を呈することになる。それにより、蝶棒を挿入するときに蝶棒の先端が直線的な移動や回転を伴う移動を行っても、下スライダーの停止爪を爪案内斜面に確実に摺接させて同爪案内斜面に沿って案内できるため、停止爪を安定して退避させることができる。
【図面の簡単な説明】
【００３８】
【図１】図１は、本発明に係る逆開きスライドファスナーの平面図である。
【図２】図２は、図１に示す逆開きスライドファスナーにおいて、下スライダーを最下端まで下げた状態における下スライダー付近の平面断面図である。
【図３】図３は、左右のファスナーストリンガーを開離した状態において、蝶棒と箱棒とを説明する平面図である。
【図４】図４は、図３に示す蝶棒を箱棒側から観察した側面図であり、ＩＶ−ＩＶ矢視図である。
【図５】図５は、図３に示す蝶棒の斜視図である。
【図６】図６は、上下のスライダーを最下端まで下げて一旦蝶棒を抜き取った後、再び上スライダー及び下スライダーに嵌挿してゆく途中の状態を示す平面断面図である。
【図７】図７は、図６に示す状態を箱棒側から観察した側面図であり、ＶＩＩ−ＶＩＩ矢視図である。
【図８】図８は、図６に示す状態から更に蝶棒を挿入してゆき、蝶棒の先端部付近が下スライダーの案内柱に対面した状態を示す図である。
【図９】図９は、図８に示す蝶棒の先端部付近と案内柱の部分を拡大して説明する平面断面図である。
【図１０】図１０は、蝶棒を最下端まで挿入した状態を示す平面断面図である。
【図１１】図１１は、特許文献１に記載されている従来の開離嵌挿具における蝶棒と、その蝶棒が取着されている付近のファスナーストリンガーの部分拡大図である。
【図１２】図１２は、図１１に示す従来の蝶棒を上スライダー及び下スライダーに嵌挿した最に、蝶棒の先端部が下スライダーの案内柱に当接した状態を示す図である。
【発明を実施するための形態】
【００３９】
以下、本発明に係る逆開きスライドファスナーの代表的な実施例について、図面を参照しながら具体的に説明する。図１は、本発明に係る逆開きスライドファスナー１０の平面図である。図２は、図１に示す逆開きスライドファスナーにおいて、下スライダーを最下端まで下げた状態における下スライダー付近の平面断面図である。図３は、左右のファスナーストリンガーを開離した状態において、蝶棒と箱棒とを説明する平面図である。図４は、図３に示す蝶棒を箱棒側から観察した側面図であり、ＩＶ−ＩＶ矢視図である。図５は、図３に示す蝶棒の斜視図である。
【００４０】
図１に示す逆開きスライドファスナー１０は、例えばジャケットやロングコートなどの左前身頃と右前身頃との開閉を可能にする開閉具である。図１に示すように、逆開きスライドファスナー１０は、左右一対の第１及び第２ファスナーストリンガー１６、１７と、第１及び第２ファスナーストリンガー１６、１７の対向端縁に取着されている第１及び第２務歯１２、１３列を挿通して第１及び第２務歯１２、１３列同士の噛合と分離とを行う上スライダー５０及び下スライダー６０とを備えている。第１及び第２務歯１２、１３は、互いに噛合可能で、一方の係合凸部が他方の係合凹部に入り込むことで噛合が行われる。
【００４１】
第１ファスナーストリンガー１６は、対向側縁（内側側縁）に芯部１４を形成したファスナーテープ１１と、芯部１４を挟持するように所定の間隔をおいて等間隔に列設した多数の第１務歯１２列と、第１務歯１２列の一方の終端部に配した上止具１８とを有している。上止具１８は、第１務歯１２列から上スライダー５０が脱落することを防止するための部材である。また、第１務歯１２列の他方の終端部におけるファスナーテープ１１の表裏には、樹脂製フィルムなどによる補強フィルム２４を貼着してある。この補強フィルム２４及び芯部１４を共に挟み込む形で蝶棒３０を連設してある。
【００４２】
第２ファスナーストリンガー１７は、対向側縁（内側側縁）に芯部１４を形成したファスナーテープ１１と、芯部１４を挟持するように所定の間隔をおいて等間隔に列設した多数の第２務歯１３列と、第２務歯１３列の一方の終端部に配した上止具１８とを有している。上止具１８は、第２務歯１３列から上スライダー５０が脱落することを防止するための部材である。また、第２務歯１３列の他方の終端部におけるファスナーテープ１１の表裏には、樹脂製フィルムなどによる補強フィルム２４を貼着してある。この補強フィルム２４及び芯部１４を共に挟み込む形で、下スライダー６０を最下端に位置決めして保持するための箱棒４０を連設してある。蝶棒３０と箱棒４０と下スライダー６０とで、開離嵌挿具２２を構成している。
【００４３】
なお、逆開きスライドファスナー１０の座標系に関し、ファスナーテープ１１の長手方向を逆開きスライドファスナー１０の上下方向とし、第１及び第２務歯１２、１３列に対して上止具１８が配されている方向を逆開きスライドファスナー１０の上方（Ｕ方向）、蝶棒３０及び箱棒４０が配されている方向を下方（Ｄ方向）と定義する。また、図１に示すファスナーテープ１１の表裏方向のうち、紙面に対して手前側を逆開きスライドファスナー１０の表面（図４に示すＴ方向）と定義し、反対側を裏面（図４に示すＢ方向）と定義する。また、図１〜図３及び図５に示すように、ファスナーテープ１１のテープ幅方向を左右方向とし、逆開きスライドファスナー１０の表面（Ｔ方向）に向かって右側をＲ方向、左側をＬ方向と定義する。ここで、Ｕ方向とＤ方向、Ｔ方向とＢ方向、及びＲ方向とＬ方向は、それぞれ互いに反対方向である。
【００４４】
次に図３〜図５を用いて、箱棒４０における各部の構成について説明する。第２ファスナーストリンガー１７の対向端縁の下端部で第２務歯１３列の下方に配されている箱棒４０は、ファスナーテープ１１の芯部１４に沿って細長い棒状に形成されており、下スライダー６０を第２ファスナーストリンガー１７の最下端に位置決めするとともに、上スライダー５０及び下スライダー６０の務歯案内通路に挿入した蝶棒３０を、最下端にて位置決めすることができる。なお、下スライダー６０は、上スライダー５０よりも蝶棒３０及び箱棒４０側に配されており、また、上スライダー５０と下スライダー６０とは、互いの後口が相対する向きで配されている。
【００４５】
ここで、棒状の箱棒４０の右側縁（Ｒ方向の側縁）をテープ内方側に配されたフランジ摺接側縁４０Ｆ、左側縁（Ｌ方向の側縁）を蝶棒３０側に配された対向側縁４０Ｃと定義すると、箱棒４０のフランジ摺接側縁４０Ｆは、上下スライダー５０，６０のフランジ５０Ｆ、６０Ｆが摺接する部分である。即ち、下スライダー６０及び上スライダー５０を、それぞれ箱棒４０側の端部位置となる最下端の位置まで摺動させた際に、下スライダー６０及び上スライダー５０の務歯案内通路５０Ｔ、６０Ｔ（図２及び、後段にて説明する図６〜図１０参照）内において、フランジ５０Ｆ、６０Ｆがフランジ摺接側縁４０Ｆに摺接する。
【００４６】
図２及び図３に示すように、第２ファスナーストリンガー１７における箱棒４０の下端部には、フック状のストッパー４６が右方向（Ｒ方向）に向けて突出させた形状に形成されている。図２に示すように、最下端まで下げた下スライダー６０の肩口部分は、ストッパー４６に当接することになる。これによって、下スライダー６０が下方（Ｄ方向）から脱落するのをストッパー４６によって、防止することができる。
【００４７】
図２及び図３に示した実施例では、ストッパー４６の形状として、箱棒４０の下端から右方向（Ｒ方向）に向けて突出させた形状が採用されている。これによって、下スライダー６０を最下端位置まで摺動させたときに、ストッパー４６に下スライダー６０の肩口部分のフランジ６０Ｆを係合させることができる。なお、本発明に係るストッパー４６の形状としては、図２及び図３に示したストッパー４６の形状に限定されるものではなく、ストッパーを箱棒の下端部からスライドファスナーの表方向（Ｔ方向）又は裏方向（Ｂ方向）に膨出させた形状にしておくことによって、下スライダー６０における表翼片６２又は裏翼片６３（後段にて説明する図７参照）に膨出させた部位を当接させる様に構成して、下スライダー６０が下方（Ｄ方向）から脱落することを防止してもよい。
【００４８】
箱棒４０の対向側縁４０Ｃは、フランジ摺接側縁４０Ｆとは反対側に配され、蝶棒３０と対向する対向面である。図３の平面図に示すように、箱棒４０の対向側縁４０Ｃの上部（Ｕ方向の部分）には、第２係止部４４と案内面４３とを形成する三角片状の第２係止案内片４２が、対向側縁４０Ｃから突出して形成されている。第２係止部４４は、第２務歯１３列が存在する上方（Ｕ方向）側を平面形状に形成してある。案内面４３は、その幅方向の寸法が上方（Ｕ方向）に向けて漸次増加する形状を呈し、下スライダー６０を最下端から上方（Ｕ方向）に向けて摺動させる際に、下スライダー６０の案内柱６０Ｄに摺接して箱棒４０の下端部を右方向（Ｒ方向）に開かせる傾斜案内面として構成されている。案内面４３は、第１務歯１２列と第２務歯１３列とによる噛合状態への移行、噛合状態からの解除にスムーズに移行させる案内面として形成してある。
【００４９】
本実施例において、上下スライダー５０，６０の各案内柱５０Ｄ，６０Ｄは、その後口側に頂点を有している。案内柱５０Ｄ，６０Ｄは、その頂点から肩口に向けて幅方向の肉厚を漸次増加させる傾斜面を有し、肩口側では、変曲点を介して幅方向の肉厚を漸次減少させる傾斜面を有している。また、肩口側の傾斜面は、後口側の肉厚を漸次増加させる傾斜面よりも傾斜角度が大きくなっている。この場合、案内柱５０Ｄ，６０Ｄの頂点側に形成された傾斜面において、頂点近傍にて、スライダーの長さ方向に対して接線の傾きが４５°よりも大きくなる壁面を案内柱５０Ｄ，６０Ｄの後面とし、スライダーの長さ方向に対して接線の傾きが４５°以下となる左右の壁面を案内柱５０Ｄ，６０Ｄの側面とする。
【００５０】
次に図３〜図５を用いて、蝶棒３０における各部の構成について説明する。第１ファスナーストリンガー１６の対向端縁の下端部で第１務歯１２列の下方に配されている蝶棒３０は、ファスナーテープ１１の芯部１４に沿った細長い棒状に形成されている。蝶棒３０の先端部には、一旦抜き取った蝶棒３０を、上スライダー５０及び下スライダー６０の務歯案内通路に対して、斜め上方から挿入してゆくことを容易にするために、蝶棒３０における先端部を左方向（Ｌ方向）に湾曲させてある。
【００５１】
ここで、棒状の蝶棒３０の左側縁（Ｌ方向の側縁）をテープ内方側に配されたフランジ摺接側縁３０Ｆ、右側縁（Ｒ方向の側縁）を箱棒４０側に配された箱棒摺接側縁（対向側縁）３０Ｃと定義する。蝶棒３０のフランジ摺接側縁３０Ｆは、一旦抜き取った蝶棒３０を上スライダー５０及び下スライダー６０の務歯案内通路５０Ｔ、６０Ｔ（図２及び、後段にて説明する図６〜図１０参照）に挿入する際に、上スライダー５０及び下スライダー６０のフランジ５０Ｆ、６０Ｆ（図２及び、後段にて説明する図６〜図１０参照）に摺接する部分である。
【００５２】
また、図４に示すように、蝶棒３０の表側縁（Ｔ方向の側縁）を表壁３０Ｔ、裏側縁（Ｂ方向の側縁）を裏壁３０Ｂと定義する。蝶棒３０の表壁３０Ｔ及び裏壁３０Ｂは、蝶棒３０を上スライダー５０及び下スライダー６０の務歯案内通路５０Ｔ、６０Ｔ（図２及び、後段にて説明する図６〜図１０参照）内に挿通する際に、上スライダー５０及び下スライダー６０の、表翼片６２及び裏翼片５３の内壁（後段にて説明する図７参照）に摺接する部分である。
【００５３】
図３に示すように、蝶棒３０の箱棒摺接側縁３０Ｃは、フランジ摺接側縁３０Ｆの反対側に配され、箱棒４０と対向する対向面である。この箱棒摺接側縁３０Ｃには、テープ長さ方向に平行な平面部と、同平面部よりも蝶棒先端側に配され、箱棒摺接側縁側の側面がテープ長さ方向に対して屈曲するように蝶棒３０の先端部に向けて箱棒４０側から離間する方向に傾斜した形状に形成された第１傾斜部３０Ｅとが形成されている。この第１傾斜部３０Ｅは、後述するように、上下スライダー５０，６０に蝶棒３０を挿入し、その蝶棒３０のフランジ摺接側縁３０Ｆが上スライダー５０のフランジ５０Ｆに摺接し、且つ、同蝶棒３０の箱棒摺接側縁３０Ｃが箱棒４０の対向側縁４０Ｃに摺接した場合に、下スライダー６０における案内柱６０Ｄの蝶棒側側面に接するような（又は案内柱６０Ｄの蝶棒側側面から離間するような）角度で傾斜した形状を有している。
【００５４】
また、図３に示すように、フランジ摺接側縁３０Ｆには、第１務歯１２列側にテープ長さ方向に平行で、蝶棒３０を挿入する際に上スライダー５０のフランジ５０Ｆに接触する平面部が形成されているとともに、フランジ摺接側縁側の側面がテープ長さ方向に対して屈曲するように蝶棒３０の先端部に向けて箱棒４０側から離間する方向に傾斜した第２傾斜部３０Ｇが形成されている。この場合、第２傾斜部３０Ｇは、箱棒摺接側縁３０Ｃ側の第１傾斜部３０Ｅの反対側に形成されており、更に、同第２傾斜部３０Ｇと箱棒摺接側縁３０Ｃ側の第１傾斜部３０Ｅとの間の幅寸法（Ｌ−Ｒ方向の寸法）が、蝶棒３０の先端に向けて漸次減少するように形成されている。即ち、フランジ摺接側縁３０Ｆ側の第２傾斜部３０Ｇは、その傾斜角度の変化が箱棒摺接側縁３０Ｃ側の第１傾斜部３０Ｅよりも緩やかに形成されている。これにより、蝶棒先端部の強度を保持しつつ第１傾斜部３０Ｅを確実に形成できるとともに、蝶棒３０の挿入時にフランジ摺接側縁３０Ｆが下スライダー６０のフランジ６０Ｆ等と干渉することも防止できる。
【００５５】
更に、蝶棒３０を挿入する際に上スライダー５０のフランジ５０Ｆに接触するフランジ摺接側縁３０Ｆの平面部を、蝶棒３０の先端部に向けて延長したときの直線を延長線ＥＬと定義した場合に、箱棒摺接側縁３０Ｃの傾斜させた第１傾斜部３０Ｅが、延長線ＥＬと交差するようにその傾斜度合いを大きくして形成されている。特に、延長線ＥＬは、図８に表すように、蝶棒３０を上スライダー５０の肩口から挿入し、蝶棒３０の箱棒摺接側縁３０Ｃが箱棒４０に接触したときに、上スライダー５０のフランジ５０Ｆと接触する平面部の延長線である。この場合、傾斜させた箱棒摺接側縁３０Ｃと延長線ＥＬとが交差する位置を交差部ＮＤと定義する。
【００５６】
蝶棒３０では、交差部ＮＤの近傍における部位が、蝶棒３０を上スライダー５０及び下スライダー６０の務歯案内通路５０Ｔ、６０Ｔに挿入したときに、下スライダー６０の案内柱６０Ｄに対面する対面領域となっている。また、図３に示すように、第１傾斜部３０Ｅにおける側面の形状、特に前記対面領域における側面の形状（Ｔ方向からスライドファスナー１０を見た形状）は、蝶棒先端に向けて漸次箱棒４０から離間するように連続して湾曲した湾曲面の形状に形成されている。なお、第１傾斜部３０Ｅにおける側面の形状は、湾曲面形状ではなく、例えば、箱棒摺接側縁３０Ｃの平面部に対して所定の角度以上で屈曲した平坦面の形状や、複数の屈曲部にて多段階で屈曲した面形状に形成することも可能である。
【００５７】
図３〜図５に示すように、蝶棒３０における箱棒摺接側縁３０Ｃの上部（Ｕ方向の部分）には、係止面を下方（Ｄ方向）に向けた平板状の第１係止部３４が形成されている。この第１係止部３４は、最下端に配した下スライダー６０及び上スライダー５０の務歯案内通路５０Ｔ、６０Ｔ内に、一旦抜き取った蝶棒３０を挿入した際に、前述の箱棒４０の第２係止部４４と係合して、蝶棒３０を最下端に停止させるための部分である。
【００５８】
蝶棒３０における箱棒摺接側縁３０Ｃには、表壁３０Ｔを第１係止部３４に沿って平面視三角形に延出させた第１係止案内片３２が形成されている。第１係止案内片３２の箱棒４０側の端縁には、第１係止部３４と箱棒摺接側縁３０Ｃとを結ぶ案内面３３が形成されている。この案内面３３は、その幅方向の寸法が上方（Ｕ方向）に向けて漸次増加する形状を呈し、下スライダー６０を最下端から上方（Ｕ方向）に向けて摺動させる際に、下スライダー６０の案内柱６０Ｄに摺接して、蝶棒３０の下端部を左方向（Ｌ方向）に開かせる案内面として形成されている。
【００５９】
なお、第１係止案内片３２は、表壁３０Ｔを延出させて形成した部位であるので、蝶棒３０及び箱棒４０を上スライダー５０及び下スライダー６０の務歯案内通路５０Ｔ、６０Ｔ内に挿通させた際には、第１係止案内片３２の裏面（Ｂ方向）側に、箱棒４０の第２係止案内片４２を収納することができる。
【００６０】
また、蝶棒３０側に向けて突出している第２係止案内片４２の頂部と、蝶棒３０側の箱棒摺接側縁３０Ｃとの干渉を避けるために、蝶棒３０の箱棒摺接側縁３０Ｃであって、第１係止案内片３２と第１係止部３４とで囲まれる部分には、逃げ溝３６を開設してある。なお、第１係止案内片３２は、蝶棒３０の箱棒摺接側縁３０Ｃから延出している第１係止部３４を補強する役目も果たしている。また、蝶棒３０における第１務歯１２列側の第１係止部３４の上面には、第２務歯１３列の最下端にある第２務歯１３の噛合頭部に設けられた係合凹部と噛合する噛合突起３８を形成してある。
【００６１】
図４の側面図に示す蝶棒３０の実施例では、蝶棒３０の先端部に向けて表壁３０Ｔを徐々に裏壁３０Ｂ側に傾斜させた爪案内斜面３９を形成してある。この爪案内斜面３９は、後段にて図７を用いて説明するように、一旦抜き取った蝶棒３０を下スライダー６０の務歯案内通路６０Ｔ内に挿入してゆく際に、自動停止装置付スライダーとして機能する下スライダー６０の停止爪６４（図２参照）を、表面（Ｔ方向）側に押し退けて、円滑な挿入操作を行うために設けた傾斜面である。
【００６２】
ここで、図２は、図１に示した状態から、下スライダー６０を下方（Ｄ方向）に摺動させて、第１及び第２務歯１２、１３列同士を噛合させてゆき、下スライダー６０を最下端まで下げた状態を示している。図１及び図２に示すように、逆開きスライドファスナー１０の蝶棒３０の先端と、箱棒４０の先端とは、下スライダー６０における案内柱６０Ｄの後口側頂部よりも肩口側まで挿し込み可能であり、しかも、逆開きスライドファスナー１０の長手方向において、略同一の位置になるように構成されている。
【００６３】
このような構成を有することにより、第１ファスナーストリンガー１６と第２ファスナーストリンガー１７の左右（Ｌ−Ｒ方向）の丈を揃えて左右対称にして、外観を整えることができる。また、下スライダー６０を上方（Ｕ方向）に向けて摺動する際に、下スライダー６０の案内柱６０Ｄが蝶棒３０と箱棒４０との間に引っ掛かることなく導入できるため、下スライダー６０を円滑に摺動させることができる。
【００６４】
更に、蝶棒３０及び箱棒４０の長さを適宜短めに設定することによって、図２に示すように、下スライダー６０を下方（Ｄ方向）の最下端まで下げた状態において、蝶棒３０の先端部と箱棒４０の先端部とを、下スライダー６０の務歯案内通路６０Ｔ内に収納して隠れた状態にすることができる。これにより、下スライダー６０を最下端まで下げた状態における、逆開きスライドファスナー１０の外観を整えることができる。
【００６５】
次に図６〜図１０を用いて、一旦抜き取った蝶棒３０を、再び上スライダー５０及び下スライダー６０に嵌挿してゆく過程の状態について説明する。図６は、一旦抜き取った蝶棒３０を上スライダー５０の左側（Ｌ側）の肩口から挿入して、蝶棒３０の先端部が下スライダー６０の務歯案内通路６０Ｔ内を下方（Ｄ方向）に向かって摺動している状態を示す平面断面図である。図７は、図６に示す状態を箱棒４０側から観察した側面図であり、図６に示すＶＩＩ−ＶＩＩ矢視図である。
【００６６】
図８は、図６に示す状態から更に蝶棒３０を挿入してゆき、蝶棒３０の先端部付近が下スライダー６０の案内柱６０Ｄに対面した状態を示す図である。図９は、図８に示す蝶棒３０の先端部付近と案内柱６０Ｄの部分を拡大して説明する平面断面図である。図１０は、蝶棒３０を最下端まで挿入した状態を示す平面断面図である。なお、図１〜図５にて説明した部位と同一の部位については、同一の符号を付して、その説明を省略する。
【００６７】
先ず、図６〜図９を用いて、上スライダー５０の構成について説明する。図６〜図９に示すように、上スライダー５０の底部を形成している裏翼片５３における上方の部分（Ｕ方向の部分）の左右方向（Ｌ−Ｒ方向）中央部からは、案内柱５０Ｄが立設している。この案内柱５０Ｄは、その後口側に頂点を有しており、更に、その頂点から肩口に向けて幅方向の肉厚を漸次増加させる傾斜面を有し、肩口側では、変曲点を介して幅方向の肉厚を漸次減少させる傾斜面を備えている。また、同案内柱５０Ｄの表面（Ｔ方向）側には、図示しない表翼片を形成してある。表翼片の表面（Ｔ方向）には、使用者が操作する引手（図示せず）が傾倒自在に配置されている。
【００６８】
上スライダー５０の表翼片及び裏翼片５３の左右（Ｌ−Ｒ方向）両側縁部からは、対向する翼片側に向けて左右のフランジ５０Ｆを延設してある。表翼片、裏翼片５３、及びフランジ５０Ｆにより囲まれるスライダーの内部には、平面視Ｙ字型の空間であって左右一対の第１務歯１２列及び第２務歯１３列を挿通する務歯案内通路５０Ｔを形成してある。
【００６９】
表翼片からは、自動停止装置付スライダーとして機能させる際の停止爪５４（図６、図８参照）を、務歯案内通路５０Ｔ内に進退可能に突出させてある。停止爪５４は、例えば使用者が引手から手を離すと、付勢手段（図示せず）の働きにより自動的に務歯案内通路５０Ｔ内に進出して、噛合状態にある第１務歯１２列又は第２務歯１３列の隙間に入り込んで、上スライダー５０の位置を固定するためのものである。また、使用者が引手を操作する際に、引手を引っ張ると、付勢手段の付勢力に対抗して停止爪５４が務歯案内通路５０Ｔから引き上げられる。すると、第１務歯１２列又は第２務歯１３列の隙間から停止爪５４が抜けて、固定されていた上スライダー５０が摺動可能な状態となる。
【００７０】
上スライダー５０における案内柱５０Ｄの左右両側（Ｌ−Ｒ方向）には、務歯案内通路５０Ｔの肩口がそれぞれ開口している。上スライダー５０の下部（Ｄ方向の部分）には、務歯案内通路５０Ｔの後口が開口している。フランジ５０Ｆの端縁部分には、当該フランジ５０Ｆの端縁に沿ってテープ挿通路が形成されている。当該テープ挿通路は、務歯案内通路５０Ｔに挿通した第１及び第２務歯１２、１３列を取着しているファスナーテープ１１を通す隙間であり、上スライダー５０の摺動時において、ファスナーテープ１１が摺接する部分である。
【００７１】
左右の第１及び第２務歯１２、１３列を務歯案内通路５０Ｔ内に挿通した状態で、上スライダー５０を図１に示す上方（Ｕ方向）に摺動させると、分離状態にある第１及び第２務歯１２、１３列を、上スライダー５０の左右（Ｌ−Ｒ方向）の肩口から導入する。導入された第１及び第２務歯１２、１３列は、務歯案内通路５０Ｔのフランジ５０Ｆの内壁に沿って案内されて合流し、噛合状態となって図１に示す下方（Ｄ方向）の後口から排出される。
【００７２】
また、上スライダー５０を図１に示す下方（Ｄ方向）に摺動させると、噛合状態にある第１及び第２務歯１２、１３列を後口から導入する。導入した噛合状態の第１及び第２務歯１２、１３列は、案内柱５０Ｄに沿って左右方向（Ｌ−Ｒ方向）に分離した後に、図１に示す上方（Ｕ方向）の双方の肩口から排出される。
【００７３】
次に、図６〜図１０を用いて、下スライダー６０の構成について説明する。図６〜図１０に示すように、下スライダー６０の底部を形成している裏翼片６３における下方の部分（Ｄ方向の部分）の左右方向（Ｌ−Ｒ方向）中央部からは、案内柱６０Ｄが立設している。この案内柱６０Ｄは、その後口側に頂点を有しており、更に、その頂点から肩口に向けて幅方向の肉厚を漸次増加させる傾斜面を有し、肩口側では、変曲点を介して幅方向の肉厚を漸次減少させる傾斜面を備えている。また、同案内柱６０Ｄの表面（Ｔ方向）側には、表翼片６２（図７参照）が形成されている。表翼片６２の表面（Ｔ方向）には、使用者が操作する引手（図示せず）が傾倒自在に配置されている。
【００７４】
下スライダー６０の表翼片６２及び裏翼片６３の左右（Ｌ−Ｒ方向）両側縁部からは、対向する翼片側に向けて左右のフランジ６０Ｆを延設してある。表翼片６２、裏翼片６３、及びフランジ６０Ｆにより囲まれるスライダーの内部には、平面視Ｙ字型の空間であって左右一対の第１務歯１２列及び第２務歯１３列を挿通する務歯案内通路６０Ｔを形成してある。
【００７５】
表翼片６２からは、自動停止装置付スライダーとして機能させる際の停止爪６４（図６〜図１０参照）を、務歯案内通路６０Ｔ内に進退可能に突出させてある。停止爪６４は、例えば使用者が引手から手を離すと、付勢手段（図示せず）の働きにより自動的に務歯案内通路６０Ｔ内に進出して、噛合状態にある第１務歯１２列又は第２務歯１３列の隙間に入り込んで、下スライダー６０の位置を固定するためのものである。また、使用者が引手を操作する際に、引手を引っ張ると、付勢手段の付勢力に対抗して停止爪６４が務歯案内通路６０Ｔから引き上げられる。すると、第１務歯１２列又は第２務歯１３列の隙間から停止爪６４が抜けて、固定されていた下スライダー６０が摺動可能な状態となる。
【００７６】
下スライダー６０における案内柱６０Ｄの左右両側（Ｌ−Ｒ方向）には、務歯案内通路６０Ｔの肩口がそれぞれ開口している。下スライダー６０の上部（Ｕ方向の部分）には、務歯案内通路６０Ｔの後口が開口している。フランジ６０Ｆの端縁部分には、当該フランジ６０Ｆの端縁に沿ってテープ挿通路が形成されている。当該テープ挿通路は、務歯案内通路６０Ｔに挿通した第１及び第２務歯１２、１３列を取着しているファスナーテープ１１を、務歯案内通路６０Ｔから下スライダー６０の外部に取り出す隙間であり、下スライダー６０の摺動時において、ファスナーテープ１１が摺接する部分である。
【００７７】
逆開きスライドファスナー１０における上スライダー５０及び下スライダー６０は、それぞれ第１及び第２務歯１２、１３列を務歯案内通路５０Ｔ、６０Ｔ内に挿通した状態で、前述のように下スライダー６０が上スライダー５０よりも蝶棒３０及び箱棒４０側に配されており、しかも、上スライダー５０の後口と下スライダー６０の後口とを対向するように配置している。
【００７８】
下スライダー６０を図１に示す上方（Ｕ方向）に摺動させると、噛合状態にある第１及び第２務歯１２、１３列を後口から導入する。導入した噛合状態の第１及び第２務歯１２、１３列は、案内柱６０Ｄに沿って左右方向（Ｌ−Ｒ方向）に分離した後に、図１に示す下方（Ｄ方向）の双方の肩口から排出される。
【００７９】
また、左右の第１及び第２務歯１２、１３列を務歯案内通路６０Ｔ内に挿通した状態で、下スライダー６０を図１に示す下方（Ｄ方向）に摺動させると、分離状態にある第１及び第２務歯１２、１３列を、下スライダー６０の左右（Ｌ−Ｒ方向）の肩口から導入する。導入した第１及び第２務歯１２、１３列は、務歯案内通路６０Ｔのフランジ５０Ｆの内壁に沿って案内されて合流し、噛合状態となって図１に示す上方（Ｕ方向）の後口から排出される。
【００８０】
更に下スライダー６０を下方（Ｄ方向）に下げてゆくと、箱棒４０と蝶棒３０とが下スライダー６０の肩口から導入され、箱棒４０の下端部に形成されているストッパー４６が下スライダー６０の肩口部分に当接して停止する。この位置が下スライダー６０の最下端となる。
【００８１】
左右の第１及び第２務歯１２、１３同士の全ての噛合を分離させる際には、下スライダー６０を最下端まで移動させた状態で、更に上スライダー５０の後口が下スライダー６０の後口に当接する位置まで上スライダー５０を下方（Ｄ方向）に下げる。すると、全ての第１及び第２務歯１２、１３列の噛合が外れた状態となる。次に、この状態で第１ファスナーストリンガー１６の下端の補強フィルム２４部分を把持して、蝶棒３０を上方（Ｕ方向）に引き上げる。すると、蝶棒３０を上スライダー５０及び下スライダー６０の務歯案内通路５０Ｔ、６０Ｔから抜き取ることができ、左右の第１ファスナーストリンガー１６と第２ファスナーストリンガー１７とを開離させることができる。
【００８２】
一旦、左右の第１ファスナーストリンガー１６と第２ファスナーストリンガー１７とを開離させた状態から、再び結合させる際には、第１ファスナーストリンガー１６の下端の補強フィルム２４部分を把持して、蝶棒３０を上スライダー５０の左方向（Ｌ方向）の肩口から挿入する。蝶棒３０を上スライダー５０の肩口から挿入してゆき、蝶棒３０の先端部が下スライダー６０の務歯案内通路６０Ｔ内を下方（Ｄ方向）に向かって摺動している状態が、図６に示す状態である。
【００８３】
図６に示す状態で蝶棒３０を更に深く挿入してゆく場合においては、蝶棒３０のフランジ摺接側縁３０Ｆと上スライダー５０のフランジ５０Ｆとが摺接し、蝶棒３０の案内面３３と上スライダー５０の案内柱５０Ｄとが摺接しながら、蝶棒３０が下方（Ｄ方向）に向けて移動することになる。
【００８４】
図６に示す状態から蝶棒３０を更に深く挿入してゆくと、蝶棒３０の先端部における表壁３０Ｔに停止爪６４が当接する。蝶棒３０の先端部には、蝶棒３０の肉厚を漸減させるように表壁３０Ｔを徐々に裏壁３０Ｂ側に向けて傾斜させた爪案内斜面３９を形成してあり、その爪案内斜面３９に停止爪６４が当接する。爪案内斜面３９に停止爪６４が当接した状態で、更に蝶棒３０を下方（Ｄ方向）に向けて挿入してゆくと、蝶棒３０の爪案内斜面３９上を停止爪６４が摺接しながら、停止爪６４が表面（Ｔ方向）側に向けて退避する（図７を参照）。このように蝶棒３０の先端部は、下スライダー６０の停止爪６４が突出している部分を通過することができ、蝶棒３０を更に下方（Ｄ方向）に向けて挿入してゆくことができる。
【００８５】
この場合、爪案内斜面３９が形成された蝶棒３０の先端は、図７に示すように、同蝶棒３０の表裏方向の中心線に対し、裏壁３０Ｂ側に偏って形成されている。更に、蝶棒３０の先端は、停止爪６４が務歯案内通路６０Ｔに突出した状態において、停止爪６４の突出端よりも裏面（Ｂ方向）側に位置する。
【００８６】
特に、この爪案内斜面３９は、第１傾斜部３０Ｅが形成される箇所に連続して形成されている。つまり、爪案内斜面３９は、前記延長線ＥＬを渡るように横切って形成されており、同爪案内斜面３９は、延長線ＥＬと交差している第１傾斜部３０Ｅ側の蝶棒表面に配されている。このため、蝶棒３０の先端部における表面は、爪案内斜面３９と第１傾斜部３０Ｅの湾曲面とが相俟って球面状を呈することとなる。これにより、例えば蝶棒３０を挿入する際に、蝶棒３０の挿入を直線的に又は回転を伴いながら行っても、下スライダー６０の停止爪６４を爪案内斜面３９に確実に当接させて表面（Ｔ方向）側に案内でき、同停止爪６４を安定して退避させることができる。
【００８７】
図６及び図７に示す状態から更に蝶棒３０を直進させながら挿入してゆくと、図８及び図９に示すように、蝶棒３０の先端部における箱棒摺接側縁３０Ｃ側の第１傾斜部３０Ｅが、下スライダー６０の案内柱６０Ｄに対面する。このとき蝶棒３０のフランジ摺接側縁３０Ｆは、上スライダー５０のフランジ５０Ｆと接触しており、蝶棒３０の箱棒摺接側縁３０Ｃは、箱棒４０の対向側縁４０Ｃと接触し、下スライダー６０の案内柱６０Ｄとは僅かに離間しているものの、案内柱６０Ｄと対面した状態となる（なお、蝶棒３０の箱棒摺接側縁３０Ｃと下スライダー６０の案内柱６０Ｄとは接触した状態であっても良い）。
【００８８】
この蝶棒３０の箱棒摺接側縁３０Ｃが下スライダー６０の案内柱６０Ｄと最も近づく部分を近接点ＣＰと定義する。また、蝶棒３０を上スライダー５０及び下スライダー６０の務歯案内通路５０Ｔ、６０内に挿入してゆく際に、下スライダー６０の案内柱６０Ｄと対向する蝶棒３０における箱棒摺接側縁３０Ｃの湾曲形状の範囲を、対面領域と定義する。
【００８９】
特に、図８に表すような蝶棒３０を挿入し、蝶棒３０のフランジ摺接側縁３０Ｆが上スライダー５０のフランジ５０Ｆと接触し、箱棒摺接側縁３０Ｃが箱棒４０の対向側縁４０Ｃと接触した状態にあるとき、箱棒４０の対向側縁４０Ｃとの接触点から蝶棒３０の先端に向かうる箱棒摺接側縁３０Ｃの範囲を、対面領域と定義する。
【００９０】
また、箱棒摺接側縁３０Ｃと案内柱６０Ｄとが対向又は対面するとは、図８〜図１０に表すように蝶棒３０の箱棒摺接側縁３０Ｃの面と案内柱６０Ｄの表裏方向（Ｔ−Ｂ方向）を形成する壁面とが互いに向き合うことであり、それらの面が垂直となる場合は対面ではない。なお、蝶棒３０と案内柱６０Ｄとは離間した状態で互いに対面するとしているが、互いに接触するようにしても良い。更に、図８及び図９に示す実施例における近接点ＣＰは、交差部ＮＤよりも箱棒４０側の近傍に位置している。
【００９１】
従来の逆開きスライドファスナー９１０（図１２参照）では、蝶棒９３０の頂端壁９３０Ｄが案内柱６０Ｄに当接しないように、使用者が意識して第１ファスナーストリンガー９１６の下端の補強フィルム２４を回転させながら、蝶棒９３０を挿入してゆく必要があった。言い換えると、従来の逆開きスライドファスナー９１０では、蝶棒９３０のフランジ摺接側縁９３０Ｆを、上スライダー５０のフランジ５０Ｆと接触させ、且つ、蝶棒３０の対向側縁（箱棒摺接側縁）９３０Ｃを、箱棒４０の対向側縁と接触させるように蝶棒９３０を挿入した場合、蝶棒９３０の頂端壁９３０Ｄが案内柱６０Ｄに衝突し、蝶棒９３０の挿入が妨げられるという問題があった。
【００９２】
これに対して、本発明では、図８及び図９に示すように、蝶棒３０の先端部側における箱棒摺接側縁３０Ｃの第１傾斜部３０Ｅを、蝶棒３０の先端部に向けて箱棒４０側から離間する方向に傾斜した傾斜面（湾曲面）に形成してある。即ち、蝶棒３０の先端部が、先端部に向けて徐々にフランジ摺接側縁３０Ｆ側に傾斜させた傾斜面に形成してある。そして、この傾斜面は、同傾斜面が下スライダー６０の案内柱６０Ｄと対面する対面領域となるように、案内柱６０Ｄとの位置関係を定めて形成されている。
【００９３】
つまり、第１傾斜部３０Ｅの傾斜面は、蝶棒３０のフランジ摺接側縁３０Ｆが上スライダー５０のフランジ５０Ｆに摺接し、且つ、蝶棒３０の箱棒摺接側縁３０Ｃが箱棒４０の対向側縁４０Ｃに摺接した状態のときに、下スライダー６０における案内柱６０Ｄから離間する角度で傾斜した形状に形成されている（なお、第１傾斜部３０Ｅの傾斜面は、案内柱６０Ｄの蝶棒側側面に接する角度で傾斜した形状に形成されていても良い）。このような第１傾斜部３０Ｅを有する蝶棒３０を構成することにより、蝶棒３０の先端が下スライダー６０の案内柱６０Ｄに接触することを回避でき、更には、蝶棒３０の対面領域が案内柱６０Ｄと接触することも回避でき、円滑な蝶棒挿入操作が可能となる。
【００９４】
またこの場合、蝶棒３０は、箱棒摺接側縁３０Ｃの箱棒４０と接触する接触点と、箱棒摺接側縁３０Ｃの延長線ＥＬと交差する交差部ＮＤとの間の間隔（距離）を、同接触点から下スライダー６０の案内柱６０Ｄの頂点までの間隔（距離）よりも大きくして構成されている。しかも、蝶棒３０の第１傾斜部３０Ｅにおける側面形状は、連続した湾曲面形状に形成されている。これにより、蝶棒３０が下スライダー６０の案内柱６０Ｄに接触することを確実に回避でき、より安定した蝶棒挿入操作が可能となる。
【００９５】
更に、蝶棒３０のフランジ摺接側縁３０Ｆ側に形成した第２傾斜部３０Ｇは、前述のように第１傾斜部３０Ｅよりも傾斜角度の変化が緩やかに形成されているため、蝶棒３０を挿入する際に、蝶棒３０の第２傾斜部３０Ｇが下スライダー６０のフランジ６０Ｆに接触することもない。
【００９６】
なお、例えば蝶棒３０を上スライダー５０の肩口から挿入する際に、同蝶棒３０を少し回転させながら挿入することにより、蝶棒３０のフランジ摺接側縁３０Ｆが上スライダー５０のフランジ５０Ｆに摺接するものの、蝶棒３０の箱棒摺接側縁３０Ｃが箱棒４０の対向側縁４０Ｃに摺接しない場合がある。この場合は、従来と同様に、蝶棒３０の先端が下スライダー６０の案内柱６０Ｄに衝突することを回避し、蝶棒挿入操作を円滑に行うことができる。
【００９７】
続いて、図８及び図９に示す状態から、更に蝶棒３０を下方（Ｄ方向）に向けて挿入してゆくと、徐々に蝶棒３０は箱棒４０と平行になるように回転してゆき、図１０に示すように、蝶棒３０を最下端まで円滑に挿入することができる。なお、図１０には示してないが、蝶棒３０の第１係止部３４（図３参照）が箱棒４０の第２係止部４４（図３参照）に当接することによって、蝶棒３０を最下端に位置決めすることができる。また、蝶棒３０が箱棒４０と平行になるとは、蝶棒３０における箱棒摺接側縁３０Ｃの平面部又はフランジ摺接側縁３０Ｆの平面部と、箱棒４０の対向側縁４０Ｃとが互いに平行になることを言う。
【００９８】
以上のように、本発明の逆開きスライドファスナー１０は、従来では蝶棒の先端が下スライダーの案内柱に衝突するような角度で蝶棒を挿入した場合でも、蝶棒３０の先端が下スライダー６０の案内柱６０Ｄに衝突することを確実に回避して、同蝶棒３０を最下端位置まで安定して挿入することができるものである。
【００９９】
この図１０に示す状態では、逆開きスライドファスナー１０の蝶棒３０の先端部と、箱棒４０の先端部とは、逆開きスライドファスナー１０の長手方向において、略同一の位置になるように構成されている。そして、図１０に示す状態において蝶棒３０の先端部の位置は、下スライダー６０における案内柱６０Ｄの上方（Ｕ方向）頂部（後口側頂部）から、蝶棒下端位置までの寸法ＤＰだけ下方（Ｄ方向）に下がった位置である。
【０１００】
蝶棒３０の先端が、下スライダー６０の案内柱６０Ｄよりも下方（Ｕ方向）に位置していることによって、下スライダー６０を最下端から上方（Ｕ方向）に向けて摺動させる際に、蝶棒３０の先端部を下スライダー６０の肩口の方向に向かわせることが容易となる。したがって、円滑な開き動作を行うことができる。なお、下スライダー６０と蝶棒３０とが最下端に存在する状態では、蝶棒３０の先端部と箱棒４０の先端部とは下スライダー６０の務歯案内通路６０Ｔ内に隠れた状態となっている。
【０１０１】
上述したスライドファスナー１０の第１及び第２務歯１２，１３には、金属製や樹脂製の務歯を使用することができる。また本発明では、線状のモノフィラメントをコイル状に巻回したコイル状務歯をファスナーテープに縫着しても良く、スライドファスナーとして通常使用できる務歯が使用可能である。
【産業上の利用可能性】
【０１０２】
本発明は、上開き及び逆開きが可能で、かつ開離嵌挿が可能な逆開きスライドファスナーに対して適用することができる。このような逆開きスライドファスナーの用途としては、ジャケットやコートにおける左右の前身頃を開閉する用途、スポーツウェア、その他の用途に用いることができる。
【符号の説明】
【０１０３】
１０、９１０  逆開きスライドファスナー
１１  ファスナーテープ
１２  第１務歯
１３  第２務歯
１４  芯部
１６、９１６  第１ファスナーストリンガー
１７  第２ファスナーストリンガー
１８  上止具
２２  開離嵌挿具
２４  補強フィルム
３０、９３０  蝶棒
３０Ｃ  箱棒摺接側縁
３０Ｅ  第１傾斜部
３０Ｆ、４０Ｆ、９３０Ｆ  フランジ摺接側縁
３０Ｇ  第２傾斜部
３０Ｔ  表壁
３０Ｂ  裏壁
３２  第１係止案内片
３３、４３  案内面
３４  第１係止部
３６  逃げ溝
３７、９３７  柱案内斜面
３８  噛合突起
３９  爪案内斜面
４０  箱棒
４０Ｃ、９３０Ｃ  対向側縁
４２  第２係止案内片
４４  第２係止部
４６  ストッパー
５０  上スライダー
５０Ｄ、６０Ｄ  案内柱
５０Ｆ、６０Ｆ  フランジ
５０Ｔ、６０Ｔ  務歯案内通路
５３、６３  裏翼片
５４、６４  停止爪
６０  下スライダー
６２  表翼片
６４  停止爪
９３０Ｄ  頂端壁
ＣＰ  近接点
ＤＰ  案内柱の上方頂部から蝶棒下端位置までの寸法
ＥＬ  延長線
ＮＤ  交差部
【図１】
0005430664.tif 000002
【図２】
0005430664.tif 000003
【図３】
0005430664.tif 000004
【図４】
0005430664.tif 000005
【図５】
0005430664.tif 000006
【図６】
0005430664.tif 000007
【図７】
0005430664.tif 000008
【図８】
0005430664.tif 000009
【図９】
0005430664.tif 000010
【図１０】
0005430664.tif 000011
【図１１】
0005430664.tif 000012
【図１２】
0005430664.tif 000013